(57)【要約】【課題】  読取画像に影響を及ぼすことなく、光学読取手段１０６で発生する電磁波を画像読取装置筐体に流し、容易に放射ノイズのレベルの低減を図る。【解決手段】  原稿の画像面に光を照射する照射手段１０２と前記光の反射光を電気信号に変換する光学変換手段１０５とを有し原稿の画像を光学的に読み取る光学読取手段１０６と、前記光学読取手段１０６を原稿の読取位置へ移動させる駆動手段と、前記読取位置へ原稿を搬送する搬送手段２０１と、備え、前記光学読取手段１０６は、前記読取位置において静止して前記搬送手段２０１から搬送された原稿の画像を読み取る画像読取装置２００であって、前記光学読取手段１０６と画像読取装置筐体１１１は導電部を有しており、前記光学読取手段１０６の導電部と前記画像読取装置筐体１１１の導電部とを前記読取位置において導通させる導電性接続部材１０８を備えていることを特徴とする。【選択図】  図１
2006025235.tif 000002
【特許請求の範囲】
【請求項１】
原稿の画像面に光を照射する照射手段と前記光の反射光を電気信号に変換する光学変換手段とを有し原稿の画像を光学的に読み取る光学読取手段と、
前記光学読取手段を原稿の読取位置へ移動させる駆動手段と、
前記読取位置へ原稿を搬送する搬送手段と、を備え、
前記光学読取手段は、前記読取位置において静止して前記搬送手段から搬送された原稿の画像を読み取る画像読取装置であって、
前記光学読取手段と画像読取装置筐体は導電部を有しており、
前記光学読取手段の導電部と前記画像読取装置筐体の導電部とを前記読取位置において導通させる導電性接続部材を備えていることを特徴とする画像読取装置。
【請求項２】
前記光学変換手段は複数設けられており、
前記複数の光学変換手段のうち少なくとも一の光学変換手段と前記照射手段が一体であることを特徴とする請求項１に記載の画像読取装置。
【請求項３】
前記光学読取手段は、複数設けられており、前記搬送手段によって搬送される原稿の表面及び裏面に対してそれぞれ配置されており、前記原稿の表面及び裏面の画像を同時に読み取ることを特徴とする請求項２に記載の画像読取装置。
【請求項４】
前記導電性接続部材は、前記光学読取手段に固定されており、
前記光学読取手段の原稿の読取位置は、前記導電性接続部材によって検出されることを特徴とする請求項１から請求項３のいずれかに記載の画像読取装置。
【請求項５】
前記導電性接続部材を移動するための移動手段を備えており、
前記導電性接続部材は、前記移動手段によって移動されることにより、前記光学読取手段の導電部と前記画像読取装置筐体の導電部とを導通させることを特徴とする請求項１から請求項３のいずれかに記載の画像読取装置。
【請求項６】
請求項１から請求項５のいずれかに記載の画像読取装置と、この画像読取装置によって読み取った画像をシートに形成する画像形成部と、を備えることを特徴とする画像形成装置。
【発明の詳細な説明】
【技術分野】
【０００１】
本発明は、ＣＣＤ等の光学変換手段を備えた画像読取装置に関する技術である。
【背景技術】
【０００２】
従来の画像読取装置は、原稿の画像面に光を照射する照射手段と、この照射手段によって照射された光の反射光を入射させるレンズと、当該レンズを介して入射された光を電気信号に変換するイメージセンサ等の光学変換手段と、を備えた読取ユニットを用いて原稿の画像を読み取る。
【０００３】
このような画像読取装置として、特許文献１には、照射手段を有する第一の読取ユニットとミラーを有する第二の読取ユニットとを備え、プラテンガラスの下面に沿って移動する画像読取手段と、画像読取装置筐体に固定されたイメージセンサと、を備える画像読取装置が記載されている。
【０００４】
また、特許文献２には、前記照射手段、レンズ、イメージセンサを一つの読取ユニットに備えた画像読取装置が記載されている。さらに、特許文献３には、原稿を搬送する自動搬送装置を備え、この自動搬送装置による原稿の搬送路の上下方向にそれぞれイメージセンサを有する読取ユニットが設けられており、複数の読取ユニットによって原稿の両面の画像を同時に読み取る画像読取装置が記載されている。
【０００５】
前記画像読取装置によれば、プラテンガラスに載置された原稿を読み取る際は、前記読取ユニットをプラテンガラスの下面に沿って移動させ、前記プラテンガラスに載置された原稿の画像面に照射手段からの光を照射し、この光の反射光をレンズに反射光を入射させて、イメージセンサに結像することで、原稿の画像を読み取ることができる。また、自動搬送装置によって搬送された原稿の画像を読み取る際は、前記読取ユニットを原稿の読取位置まで移動させ、当該位置で読取ユニットを静止させて、搬送されてきた原稿の画像を読み取ることができる。
【０００６】
しかし、前記画像読取装置は、多くの電子部品を備えているため、高周波の電磁波が多く発生するといった問題があった。特に、ＣＣＤ等のイメージセンサを備えた画像読取装置では、原稿の画像を走査した光を電気信号に変換して出力するため、画像読取手段の処理回路から多くの高周波の電磁波が発生していた。
【０００７】
また、特許文献１に示すような読取ユニットが移動を伴う画像読取装置では、前記読取ユニットを移動させるため金属製の駆動部材を備えており、この金属性の駆動部材が電磁波のアンテナとなり、画像読取装置から発生する電磁波を増幅することがある。さらに、特許文献３に示すような原稿の両面を同時に読み取る画像読取装置では、原稿の搬送路の上下にそれぞれ読取ユニットを備えているため、更に電磁波が増幅される可能性が高い。このような電磁波の増幅は、複写機等の画像形成装置の放射ノイズを抑制する上での妨げとなっていた。
【０００８】
前記高周波の電磁波による放射ノイズを抑制する方法としては、電磁波の発生源を金属部材等で覆う方法が挙げられる。しかし、前記読取ユニットの上部にプラテンガラスが配置された画像読取装置では、読取ユニットの上部にプラテンガラスが配置されているため読取ユニット上部の開口が大きく形成されており、電磁波をシールドすることが困難であった。
【０００９】
このような問題を鑑みて為された画像読取装置として、特許文献４には、読取ユニットを駆動させるワイヤを介して読取ユニット等から出力される電磁波を接地させ、電磁波を低減する技術が記載されている。この画像読取装置は、前記ワイヤの一部の被覆を除去し、この除去した部分に読取ユニットの金属部材を固定するとともに、前記ワイヤの端部をプーリ等で画像読取装置のフレームに接続し、当該フレームに電磁波を接地させる。この画像読取装置によれば、読取ユニットから発生する電磁波を画像形成装置のフレームに接地させることができるため、放射ノイズを低減することができる。しかし、前記ワイヤのように高周波インピーダンスが高い部材を介して接地させると、３０ＭＨｚ〜１ＧＨｚの高周波に対してはワイヤが高周波の電磁波を放射するアンテナとなるため、十分な放射ノイズの低減を図ることができない。
【００１０】
また、特許文献５には、プラテンガラスに原稿を載置する手段と、前記プラテンガラスの下面に沿って移動しながら走査する画像読取手段を設け、前記画像読取手段をガイドレール部材に沿わせて案内し、原稿の画像読取情報を、光学変換手段に入力して電気信号として出力するともに、前記ガイドレール部材を装置筐体のフレームに対して電気的に導通させて構成する画像読取装置が記載されている。この画像読取装置は、プラテンガラスの下面に沿って移動する画像読取手段とガイドレール部材との間に電気的に接続する手段を設け、ガイドレール部材を装置筐体のフレームに対して接地させる。また、前記画像読取手段をガイドレール部材に対して電気的に導通させるための手段として、ガイドレール部材の長さ方向に導電性の部材を取り付け、画像読取手段には、前記導電性の部材に摺動する端子部材を設けている。
【００１１】
前記画像読取装置は、画像読取手段からガイドレール部材を介して装置筐体に電磁波を導通させることができる。すなわち、画像読取手段に電磁波が発生しても、直ちにガイドレール部材を介して装置筐体に流すことができるので、画像読取装置が電磁波を増幅させることがなく、画像読取装置の外に電磁波が伝達することを防ぐことができる。また、前記導電手段は、高周波インピーダンスが低い状態の導電手段を構成するので、画像形成装置内で発生した高周波を画像読取手段の金属部材を介して容易に装置筐体に流すことができる。
【特許文献１】特開平４−３３６８５５号公報
【特許文献２】特開平５−８３４８８号公報
【特許文献３】特開平９−１０２８３６号公報
【特許文献４】特開平１−２２５９７２号公報
【特許文献５】特開平８−３２７６９号公報
【発明の開示】
【発明が解決しようとする課題】
【００１２】
しかし、前記画像読取装置は、画像読取手段がガイドレール部材上を移動するため、装置筐体との接触関係が不安定であり、接触状態によっては高周波インピーダンスが高くなることがある。高周波インピーダンスが高くなると、画像読取手段が高周波のノイズを放射するアンテナとなり、放射ノイズを十分に低減できないことがある。また、前記画像読取手段と装置筐体との接触関係を安定させようとすると、摩擦等の発生により読取画像に悪影響を及ぼすおそれがある。
【００１３】
本発明は、このような問題に鑑みてなされたものであり、読取画像に影響を与えることなく、画像読取手段から発生する電磁波を接地させ、容易に放射ノイズのレベルを低減することができる画像読取技術を提供することを技術的課題とする。
【課題を解決するための手段】
【００１４】
上記課題を解決するために本発明は、原稿の画像面に光を照射する照射手段と前記光の
反射光を電気信号に変換する光学変換手段とを有し原稿の画像を光学的に読み取る光学読取手段と、前記光学読取手段を原稿の読取位置へ移動させる駆動手段と、前記読取位置へ原稿を搬送する搬送手段と、を備え、前記光学読取手段は、前記読取位置において静止して前記搬送手段から搬送された原稿の画像を読み取る画像読取装置であって、前記光学読取手段と画像読取装置筐体は導電部を有しており、前記光学読取手段の導電部と前記画像読取装置筐体の導電部とを前記読取位置において導通させる導電性接続部材を備えていることを特徴とする。
【発明の効果】
【００１５】
本発明に係る画像読取技術によれば、電磁波を発生する光学読取手段と画像読取装置筐体の導電部を原稿の読取位置において導通させる導電性接続部材を設けることにより、読取画像に影響を及ぼすことなく、光学読取手段で発生する電磁波を画像読取装置筐体に流し、容易に放射ノイズのレベルを低減することができる。
【発明を実施するための最良の形態】
【００１６】
以下に図面及び実施例を参照して、この発明を実施するための最良の形態を例示的に詳しく説明する。ただし、この実施例に記載されている構成部品の寸法、材質、形状、その相対配置などは、特に特定的な記載がない限りは、この発明の範囲をそれらのみに限定する趣旨のものではなく、本発明にかかる画像読取装置は、以下に説明するような構成を有するものに限定されるものではない。また、以下の説明で一度説明した部材についての材質、形状などは、特に改めて記載しない限り初めの説明と同様のものである。
【実施例１】
【００１７】
図１は、本実施例１に係る画像形成装置の全体構成を示す図である。本実施例１に係る画像形成装置３００は、画像読取装置２００を上部に備えている。画像読取装置２００は、原稿を自動で搬送可能な搬送手段としての自動搬送装置２０１と、自動搬送装置２０１の下部に配置されたプラテンガラス１０１と、プラテンガラス１０１に載置された原稿の画像又は前記自動搬送装置２０１によって搬送された原稿の表面の画像を読み取る光学読取手段としての第一読取ユニット１０６と、前記自動搬送装置２０１によって搬送された原稿の裏面の画像を読み取る光学読取手段としての第二読取ユニット２０９と、を備えている。
【００１８】
前記第一及び第二読取ユニット１０６，２０９は、それぞれ原稿の画像面に光を照射する照射手段としての第一及び第二光源１０２，２０５と、前記光の原稿からの反射光が入射する第一及び第二反射ミラー１０３，２０６と、この反射ミラー１０３，２０６に入射された反射光を集光する第一及び第二集光レンズ１０４，２０７と、この集光レンズ１０４，２０７で集光した光を受光し原稿の画像情報を電気信号に変換する光学変換手段としての第一及び第二ＣＣＤ１０５，２０８と、を備えている。
【００１９】
このように構成された画像読取装置２００を用いて、前記プラテンガラス１０１に載置された原稿又は自動搬送装置２０１によって搬送された原稿の表面の画像を読み取る際は、前記第一光源１０２によって原稿に光を照射し、この反射光を第一反射ミラー１０３によって第一集光レンズ１０４に入射させ、この入射光を第一ＣＣＤ１０５が受光することにより、原稿の画像情報を取得する。
【００２０】
また、前記自動搬送装置２０１によって搬送された原稿の裏面の画像を読み取る際は、第二読取ユニット２０９の第二光源２０５によって原稿に光を照射し、この反射光を第二反射ミラー２０６によって第二集光レンズ２０７に入射させ、この入射光を第二ＣＣＤ２０８が受光することにより、原稿の画像情報を取得する。
【００２１】
さらに、自動搬送装置２０１によって搬送された原稿の表面及び裏面の画像を同時に読み取る際は、自動搬送装置２０１の給送トレイ２０２に載置された原稿を自動搬送装置２０１内のピックアップローラ２０３によってピックアップし、給送ローラ２０４によって、原稿を読取位置まで搬送する。この原稿を搬送する際、前記第一読取ユニット１０６は図示しない駆動手段によって前記読取位置まで移動される。そして、第一及び第二読取ユニット１０６，２０９によって、搬送された原稿の表面及び裏面の画像を同時に読み取ることができる。
【００２２】
前述のように、第一読取ユニット１０６は、プラテンガラス１０１に載置された原稿の画像と自動搬送装置２０１によって搬送された原稿の表面の画像とを読み取ることができるが、それぞれの読み取りの際に異なった位置で読み取りを行う。自動搬送装置２０１によって搬送された原稿の画像を読み取る場合、図示しない駆動手段が第一読取ユニット１０６をＢ領域の読取位置に移動させて、第一読取ユニット１０６は読取位置で静止して原稿を読み取る。そして、読み取りを終えた原稿は、排出ローラ２１１によって排出トレイ２１２に排出される。
【００２３】
一方、プラテンガラス１０１に載置された原稿の画像を読み取る場合、前記駆動手段が第一読取ユニット１０６をＡ領域で移動させる。第一読取ユニット１０６は、Ａ領域で移動しつつ画像の読み取りをする。尚、本実施例では、第一読取ユニット１０６が移動する領域がＡ領域とＢ領域に分離されているが、必ずしも分離されていなくてもよく、一部において重なっていても良いし、重複していてもよい。
【００２４】
次いで、このように構成された画像読取装置２００を備えた画像形成装置３００について図１に基づいて説明する。図示する３０１は、画像書き込み用のレーザスキャナであり、第一及び第二読取ユニット１０６，２０９によって読み取った画像を処理した後、記録信号に応じてレーザー光を感光ドラム３１０に照射して潜像を形成する。また、図示しないトナー供給装置から供給されたトナーによって前記感光ドラム３１０にトナー像が形成される。３０２及び３０３は、画像を形成する記録媒体としてのシートを収容する上段及び下段カセットである。
【００２５】
前記記録信号に応じて上段カセット３０２又は下段カセット３０３からシートがピックアップローラ３０４によりピックアップされる。このシートは、搬送ローラ３０５及び分離ローラ３０６によって一枚づつ感光ドラム３１０と対向する位置まで供給され、感光ドラム３１０に形成されたトナー像が転写装置３０９によってシートに転写される。
【００２６】
トナー像が転写されたシートは、定着装置３１１に搬送されて画像定着される。尚、シートの両面に画像を形成する場合は、フラッパ３１２によってシートの搬送経路を切換え、両面搬送路３１３にシートを搬送する。定着装置３１１によって画像定着されたシートは、定着装置３１１の下流側に設けられた排出ローラ３１４により排出トレイ３１５に排出される。
【００２７】
次いで、このように構成された画像形成装置３００における放射ノイズの低減方法について説明する。前記画像読取装置筐体は、金属製の筐体フレーム１１０を有しており、当該筐体フレーム１１０には弾性を有する略矩形の導電性接続部材１０８が固定されている。導電性接続部材１０８は、第一読取ユニット１０６がＢ領域に移動した際（自動搬送装置２０１によって搬送された原稿の表面の画像を読み取る際）に、第一読取ユニット１０６と接触するように配置されている。尚、前記導電性接続部材１０８と筐体フレーム１１０との固定方法は、特に制限されず、例えば、溶接、螺子止めで固定することができる。
【００２８】
前記導電性接続部材１０８と第一読取ユニット１０６は、第一読取ユニット１０６がＢ
領域に移動した際のみ接触し、Ａ領域で移動する際は接触しない。そのため、プラテンガラス１０１に載置した原稿の画像を読み取る際は、画像の読取に悪影響を及ぼすことがない。一方、自動搬送装置２０１を用いる場合には、前記導電性接続部材１０８によって、第一読取ユニット１０６の電磁波をフレーム１１０に流すことができる。尚、この場合においても、第一読取ユニット１０６は読取位置で静止して画像の読み取りを行うため、画像の読取に悪影響を及ぼすことはない。すなわち、画像の読み取りに影響を及ぼすことなく、画像読取装置から発生する電磁波を容易に接地させ、放射ノイズのレベルを低減することができる。
【００２９】
特に、自動搬送装置２０１を用いる読み取りは、プラテンガラス１０１に載置された原稿の読み取りと比較して、読取スピードの高速化が所望されている。自動搬送装置２０１を用いる際は、一旦ユーザーが原稿をセットすると、自動搬送装置２０１によって機械的に原稿が搬送されるため、ユーザーの高速読取要求が高い。これに対して、プラテンガラス１０１に載置された原稿を読み取る際には、ユーザーが一枚ずつ原稿を取り替え又はめくる作業が必要であるため、高速読取要求は低い。このような要求に応じて高速読取を行うとすると、電気信号を高速で伝送する必要が生じ、高周波のノイズが更に増大する。しかし、前記導電性接続部材１０８を用いることにより、電気信号を高速で伝送しても、第一読取ユニット１０６がＢ領域の読取位置に移動すると、自動的に導電性接続部材１０８を介して筐体フレーム１１０に電磁波が導通されるため、放射ノイズのレベルを低減することができる。
【００３０】
すなわち、本実施例１によれば、画像の読取に悪影響を及ぼすことなく、画像読取装置内で発生した電磁波を装置筐体へ効果的に流すことができ、容易に放射ノイズのレベルを低減することが可能である。
【実施例２】
【００３１】
実施例２に係る画像読取装置は、図２に示すように、前記導電性接続部材１０８が第一読取ユニット１０６に固定されている。尚、本実施例２及び以下の実施例は、前記実施例１と前記導電性接続部材１０８についての構成が異なるが、他の構成はほぼ同様であるため、同様の構成については同符号を用いて説明を省略する。
【００３２】
前記導電性接続部材１０８は、前記第一読取ユニット１０６のＢ領域への移動方向における先端部に固定されている。従って、第一読取ユニット１０６がＢ領域へ移動した際に、第一読取ユニット１０６は、導電性接続部材１０８を介して筐体フレーム１１０に電気的に導通させ、電磁波を装置筐体に流すことができる。
【００３３】
実施例２に係る画像読取装置は、前記構成を採用することにより、実施例１と同様に、画像の読取に悪影響を及ぼすことなく、画像読取装置内で発生した高周波の電磁波を装置筐体へ効果的に流すことができ、放射ノイズのレベルを低減することが可能である。尚、本実施例２では、導電性接続部材１０８を第一読取ユニット１０６に固定して移動させたが、例えば、導電性接続部材１０８を第一読取ユニット１０６に固定せず、導電性接続部材１０８を移動させる移動手段を用いて、第一読取ユニット１０６と筐体フレーム１１０とを導通させるように構成しても良い。前記構成においても第一読取ユニット１０６で発生する電磁波を装置筐体に流すことができるため、導電性接続部材１０８の移動方法は画像読取装置の構成等に応じて適宜に選択することが望ましい。
【実施例３】
【００３４】
実施例３に係る画像読取装置は、図３に示すように、導電性接続部材１０８が第一読取ユニット１０６に固定され、前記第一読取ユニット１０６が読取位置に移動したことを検出するフォトインタラプタ１０９が筐体フレーム１１０に固定されている。前記フォトイ
ンタラプタ１０９は、図示する凹部がセンサであって、凹部のセンサが遮られることにより、第一読取ユニット１０６の位置を検出する。
【００３５】
第一読取ユニット１０６が読取位置まで移動すると、第一読取ユニット１０６に固定された導電性接続部材１０８の一部が前記凹部に貫入して、第一読取ユニット１０６の位置が検出される。そして、第一読取ユニット１０６が当該位置から更に左側に数ｍｍ移動すると、導電性接続部材１０８と筐体フレーム１１０と接触する。
【００３６】
本実施例３の画像読取装置によれば、前記実施例１、実施例２と同様に、読取画像に悪影響を及ぼすことなく、画像読取装置内で発生した電磁波を装置筐体へ容易に流すことができ、放射ノイズのレベルを低減することが可能である。また、前記フォトインタラプタ１０９を用いることにより、第一読取ユニット１０６と筐体フレーム１１０との接触圧を詳細に制御することが可能となり、前記読取位置を正確に検出することができる。さらに、前記導電性接続部材１０８によって、第一読取ユニット１０６の読取位置を検出することができるため、読取位置を検出するための部材を設ける必要がなく、部品点数を少なくすることができる。
【実施例４】
【００３７】
実施例４に係る画像読取装置２００は、図４に示すように、自動搬送装置２０１の底面２０１ａに固定された導電性接続部材としての板バネ１１１と、前記板バネ１１１と底面２０１ａとの間に介された偏心カム１１２と、前記偏心カム１１２を回転させるモータ（図示せず）と、を備えており、前記偏心カム１１２を回転させることにより、板バネ１１１の一部が上方に押し上げられ、板バネ１１１と第一読取ユニット１０６が接触する。前記板バネ１１１は、前記自動搬送装置２０１を用いて読取を行う際に第一読取ユニット１０６が移動する領域（図１に示すＢ領域）に設けられており、自動搬送装置２０１を用いて画像の読み取りを行う際にのみ、第一読取ユニット１０６と接触するように配置されている。
【００３８】
前記構成によれば、第一読取ユニット１０６がＢ領域における読取位置に移動すると板バネ１１１と第一読取ユニット１０６が接触するため、自動搬送装置２０１によって搬送された原稿の画像を読み取る際に、第一読取ユニット１０６から発生する電磁波を筐体フレーム１１０に流すことができる。また、前記板バネ１１１は、第一読取ユニット１０６がＢ領域において移動するときのみ接触するように配置されているため、プラテンガラス１０１に載置された原稿の画像を読み取る際には、電磁波が筐体フレーム１１０に流れることがなく、読取画像への悪影響を防ぐことが可能である。
【００３９】
尚、前記板バネ１１１は、前記自動搬送装置２０１の底面２０１ａに一部が固定されていれば良く、その固定方法は特に制限されない。例えば、螺子止め、溶接等で固定することができる。
【図面の簡単な説明】
【００４０】
【図１】実施例１に係る画像読取装置を備えた画像形成装置の概略断面図である。
【図２】実施例２に係る画像読取装置の導電性接続部材の説明概略図である。（ａ）は断面図であり、（ｂ）は、上面図である。
【図３】実施例３に係る画像読取装置の導電性接続部材の説明概略図である。（ａ）は断面図であり、（ｂ）は、上面図である。
【図４】実施例４に係る画像読取装置の導電性接続部材の概略断面図である。
【符号の説明】
【００４１】
１０２  第一光源（照射手段）
１０５  第一ＣＣＤ（光学変換手段）
１０６  第一読取ユニット（光学読取手段）
１０８  導電性接続部材
１１０  筐体フレーム（画像読取装置筐体）
２００  画像読取装置
２０１  自動搬送装置（搬送手段）
【図１】
2006025235.tif 000003
【図２】
2006025235.tif 000004
【図３】
2006025235.tif 000005
【図４】
2006025235.tif 000006